(57)【要約】【課題】連写による撮影画像を用いてモザイク画像を生成する。【解決手段】印画物作製装置は、被撮影者を連写し、複数の撮影画像を生成する撮影部と、モチーフ画像を分割した複数のブロック画像の各々を用いて、前記複数の撮影画像の画像処理を行い、複数の加工画像を生成し、前記複数の加工画像をブロック位置に基づいて配置してモザイク画像を生成する画像処理部と、前記モザイク画像をプリント出力するプリンタと、を備える。【選択図】図１
2020184727.tif 000002
【特許請求の範囲】
【請求項１】
被撮影者を連写し、複数の撮影画像を生成する撮影部と、
モチーフ画像を分割した複数のブロック画像の各々を用いて、前記複数の撮影画像の画像処理を行い、複数の加工画像を生成し、前記複数の加工画像をブロック位置に基づいて配置してモザイク画像を生成する画像処理部と、
前記モザイク画像をプリント出力するプリンタと、
を備える印画物作製装置。
【請求項２】
前記画像処理部は、前記複数の撮影画像のいずれか１つを、１つのブロック画像に基づいて色補正して、１つのブロックに対応する加工画像を生成することを特徴とする請求項１に記載の印画物作製装置。
【請求項３】
前記プリンタは、前記モザイク画像を加工画像毎にプリント出力することを特徴とする請求項１又は２に記載の印画物作製装置。
【請求項４】
前記プリンタが各加工画像をプリントする用紙には、凹凸の切りしろが設けられていることを特徴とする請求項３に記載の印画物作製装置。
【請求項５】
被撮影者を連写した撮影部から複数の撮影画像を受信する画像受信部と、
モチーフ画像を複数のブロックに分割し、複数のブロック画像を生成する分割部と、
前記複数のブロック画像の各々を用いて、前記複数の撮影画像の画像処理を行い、複数の加工画像を生成し、前記複数の加工画像をブロック位置に基づいて配置してモザイク画像を生成する画像処理部と、
を備えるモザイク画像生成装置。
【請求項６】
被撮影者を撮影した撮影部から撮影画像を受信する画像受信部と、
モチーフ画像を複数のブロックに分割し、複数のブロック画像を生成する分割部と、
前記複数のブロック画像の各々を用いて、前記撮影画像の画像処理を行い、複数の加工画像を生成し、前記複数の加工画像をブロック位置に基づいて配置してモザイク画像を生成する画像処理部と、
を備え、
前記画像処理部は、前記撮影画像を、各ブロック画像に基づいて色補正して、各ブロックに対応する加工画像を生成することを特徴とするモザイク画像生成装置。
【発明の詳細な説明】
【技術分野】
【０００１】
本発明は、印画物作製装置及びモザイク画像生成装置に関する。
【背景技術】
【０００２】
ユーザを連写し、複数の撮影画像をＧＩＦアニメデータとして提供する写真撮影装置が知られている。このような装置では、連写した撮影画像をプリント物として提供する場合、特定の１コマをプリント出力する程度であった。また、連写撮影した画像に、スタンプ画像や文字を入力して装飾し、プリント出力する装置が提案されている（例えば特許文献１参照）。従来、連写撮影を行っても、ユーザの興味を十分に引くような形でプリント出力することはできていなかった。
【先行技術文献】
【特許文献】
【０００３】
【特許文献１】特開２００３−１０１８４７号公報
【発明の概要】
【発明が解決しようとする課題】
【０００４】
本発明は、上記従来の実状に鑑みてなされたものであり、連写による撮影画像を用いてモザイク画像を生成する印画物作製装置及びモザイク画像生成装置を提供することを課題とする。
【課題を解決するための手段】
【０００５】
本発明の印画物生成装置は、被撮影者を連写し、複数の撮影画像を生成する撮影部と、モチーフ画像を分割した複数のブロック画像の各々を用いて、前記複数の撮影画像の画像処理を行い、複数の加工画像を生成し、前記複数の加工画像をブロック位置に基づいて配置してモザイク画像を生成する画像処理部と、前記モザイク画像をプリント出力するプリンタと、を備えるものである。
【０００６】
本発明の一態様において、前記画像処理部は、前記複数の撮影画像のいずれか１つを、１つのブロック画像に基づいて色補正して、１つのブロックに対応する加工画像を生成する。
【０００７】
本発明の一態様において、前記プリンタは、前記モザイク画像を加工画像毎にプリント出力する。
【０００８】
本発明の一態様において、前記プリンタが各加工画像をプリントする用紙には、凹凸の切りしろが設けられている。
【０００９】
本発明のモザイク画像生成装置は、被撮影者を連写した撮影部から複数の撮影画像を受信する画像受信部と、モチーフ画像を複数のブロックに分割し、複数のブロック画像を生成する分割部と、前記複数のブロック画像の各々を用いて、前記複数の撮影画像の画像処理を行い、複数の加工画像を生成し、前記複数の加工画像をブロック位置に基づいて配置してモザイク画像を生成する画像処理部と、を備えるものである。
【００１０】
本発明のモザイク画像生成装置は、被撮影者を撮影した撮影部から撮影画像を受信する画像受信部と、モチーフ画像を複数のブロックに分割し、複数のブロック画像を生成する分割部と、前記複数のブロック画像の各々を用いて、前記撮影画像の画像処理を行い、複数の加工画像を生成し、前記複数の加工画像をブロック位置に基づいて配置してモザイク画像を生成する画像処理部と、を備え、前記画像処理部は、前記撮影画像を、各ブロック画像に基づいて色補正して、各ブロックに対応する加工画像を生成するものである。
【発明の効果】
【００１１】
本発明によれば、連写による撮影画像を用いてモザイク画像を生成できる。
【図面の簡単な説明】
【００１２】
【図１】本発明の実施形態に係る印画物作製システムの概略構成図である。
【図２】モザイク画像の例を示す図である。
【図３】印画物作製装置のハードウェア構成図である。
【図４】印画物作製装置の機能ブロック図である。
【図５】印画物作製方法を説明するフローチャートである。
【図６】（ａ）はプリント物の例を示す図であり、（ｂ）はプリント物の並べ方の例を示す図である。
【発明を実施するための形態】
【００１３】
以下、本発明の実施の形態を図面に基づいて説明する。
【００１４】
図１は、本発明の実施形態に係る印画物作製システムの概略構成図である。印画物作製システムは、印画物作製装置１とサーバ装置２とを備える。印画物作製装置１とサーバ装置２とはインターネット等のネットワークを介して通信可能に接続されている。
【００１５】
印画物作製装置１は、筐体Ｈと、筐体Ｈを支持する脚部Ｌとを備える。筐体Ｈ内には、演算制御装置１０（図３参照）、撮影装置１１（撮影部）、タッチパネル１２、プリンタ１３（図３参照）等が設けられている。
【００１６】
印画物作製装置１は、ユーザＰを連写撮影し、複数の撮影画像を色補正したものを素材画像として、モザイク画像を生成する。ここで、モザイク画像（フォトモザイク）とは、複数の小さな画像（素材画像）をマトリクス状に並べて１つの大きな人物や風景等を生成するものである。
【００１７】
例えば、印画物作製装置１は、モチーフ画像（元絵）を複数の小さなブロックに分割し、撮影画像を、各ブロック画像に合わせて色補正し、加工画像（素材画像）を生成する。
【００１８】
例えば、連写により得られた撮影画像の数と、モチーフ画像を分割したブロック数が同数である場合は、撮影画像とブロック画像とを１：１に対応させ、加工画像を生成する。撮影画像数がブロック数より多い場合は、ブロック数と同数の撮影画像を抽出する。撮影画像数がブロック数より少ない場合は、撮影画像を複数回利用して、加工画像を生成する。
【００１９】
図２に、印画物作製装置１が生成するモザイク画像ＭＧの一例を示す。モザイク画像ＭＧの全体ではキャラクターの画像となっており、このキャラクター画像を構成する各画素（素材画像）は連写した画像を色補正したものとなっている。
【００２０】
印画物作製装置１は、このモザイク画像ＭＧを用紙にプリントして、プリント物３を出力する。このように、本実施形態によれば、ユーザＰを連写した画像を用いてモザイク画像を生成することができ、ユーザＰはプリント物３を楽しむことができる。
【００２１】
ユーザＰは、撮影後、タッチパネル１２を操作し、自身のメールアドレスを入力することができる。印画物作製装置１は、モザイク画像ＭＧのデータを、メールアドレスと共にサーバ装置２へ送信する。サーバ装置２は、メールアドレスを用いて、モザイク画像ＭＧをメールに添付して送信する。ユーザＰは、スマートフォンやＰＣ等のユーザ端末を用いてメールを受信することで、モザイク画像ＭＧのデータも入手できる。
【００２２】
図３は、印画物作製装置１のハードウェア構成図である。印画物作製装置１は、演算制御装置１０、撮影装置１１、タッチパネル１２及びプリンタ１３を備える。
【００２３】
撮影装置１１は、例えばデジタルカメラであり、連写機能を有し、撮影画像データを演算制御装置１０へ出力する。
【００２４】
タッチパネル１２は、操作ボタンを表示し、操作ボタンが押されると、その操作ボタンに対応した操作指示を受け付ける。タッチパネル１２の代わりに、タッチ機能の無いディスプレイ、及びキーボードやマウス等の入力手段を設けてもよい。
【００２５】
プリンタ１３のプリント方式は特に限定されず、インクジェット方式、昇華型熱転写方式、溶融型熱転写方式等を用いることができる。
【００２６】
演算制御装置１０は、印画物作製装置１の各部の制御やデータの受け渡しを行うコンピュータである。図４に示すように、演算制御装置１０のＣＰＵが記憶部１００に記憶されているモザイク画像生成プログラムを実行することで、分割部１０１、画像受信部１０２、画像処理部１０３、アドレス情報取得部１０４、プリント制御部１０５、及び画像送信部１０６が実現され、演算制御装置１０はモザイク画像生成装置として動作する。
【００２７】
記憶部１００は、ハードディスクや半導体メモリであり、モザイク画像の元絵となるモチーフ画像が事前に格納されている。
【００２８】
分割部１０１は、モチーフ画像の分割数Ｎ及び分割方法の設定を受け付け、モチーフ画像を分割し、Ｎ個のブロック画像を生成する。ブロック画像は記憶部１００に格納される。例えば、モチーフ画像を縦方向にｎ個、横方向にｍ個のマトリクス状に分割するという設定を受け付ける。分割数Ｎはｎ×ｍとなる。
【００２９】
画像受信部１０２、画像処理部１０３、アドレス情報取得部１０４、プリント制御部１０５、及び画像送信部１０６の処理は後述する。
【００３０】
次に、モザイク画像をプリントしたプリント物の作製方法を図５に示すフローチャートに沿って説明する。
【００３１】
撮影装置１１が、動作をしているユーザＰを連写する（ステップＳ１）。ユーザＰの背中側には、クロマキー合成に適した色、例えば青色や黄緑色の壁紙が設けられていることが好ましい。撮影装置１１は、連写により生成した複数の撮影画像を演算制御装置１０へ出力する。画像受信部１０２が、撮影画像を受信し、記憶部１００に格納する。
【００３２】
画像処理部１０３が、モチーフ画像を分割した複数のブロックのうち、未選択のブロックを１つ選択する（ステップＳ２）。ブロックは、端から順に選択してもよいし、ランダムに選択してもよい。
【００３３】
画像処理部１０３が、複数の撮影画像から１つの画像を選択する（ステップＳ３）。撮影画像は、撮影順に選択してもよいし、ランダムに選択してもよい。
【００３４】
画像処理部１０３が画像処理を行い、撮影画像に対し、選択されたブロック画像に合わせた色補正を行い、加工画像を生成する（ステップＳ４）。
【００３５】
例えば、画像処理部１０３は、クロマキー処理を行い、撮影画像から人物画像を切り抜き、人物画像をブロック画像上に重ね合わせて、加工画像を生成する。あるいはまた、画像処理部１０３は、撮影画像をグレー画像に変換し、乗算やオーバーレイによりグレー画像とブロック画像とを合成して、加工画像を生成する。
【００３６】
モチーフ画像を分割した全てのブロックに対してこれらの処理を行う（ステップＳ２〜Ｓ５）。
【００３７】
画像処理部１０３が、生成した加工画像をブロック位置に合わせて配置してモザイク画像を生成する（ステップＳ６）。
【００３８】
プリント制御部１０５が、モザイク画像をプリンタ１３へ転送し、プリンタ１３を制御し、モザイク画像を用紙にプリントして、プリント物を出力させる（ステップＳ７）。
【００３９】
印画物作製装置１が、タッチパネル１２にメールアドレス入力画面を表示する。ユーザＰは、メールアドレス入力画面を操作してメールアドレスを入力する（ステップＳ８）。アドレス情報取得部１０４は、タッチパネル１２を介してメールアドレス情報を取得し、記憶部１００に格納する。メールアドレスの入力は、プリント物の出力後に限定されず、撮影後かつプリント物の出力前でもよいし、撮影前でもよい。
【００４０】
画像送信部１０６が、モザイク画像と、入力されたメールアドレス情報とをサーバ装置２へ送信する。
【００４１】
このように、本実施形態によれば、ユーザを連写した複数の撮影画像を用いてモザイク画像を生成し、ユーザが興味を抱くプリント物を作製することができる。
【００４２】
上記実施形態において、ユーザに対し、メールアドレスの入力と共にアンケートへの回答を要求してもよい。印画物作製装置１は、アンケート回答結果もサーバ装置２へ送信する。
【００４３】
上記実施形態では、入力されたメールアドレスを用いて、モザイク画像をメールに添付して送信する例について説明したが、モザイク画像データをダウンロードするウェブサイトのＵＲＬ（及びＵＲＬを示す二次元コード）を印字したカードを印画物作製装置１からプリント出力してもよい。
【００４４】
撮影装置１１は動画を撮影するものであってもよい。この場合、画像処理部１０３が、動画データから所定間隔で複数の静止画を抽出し、連続写真を生成する。
【００４５】
上記実施形態では、モザイク画像を１枚の用紙にプリントして出力する例について説明したが、モザイク画像を構成する複数の加工画像（素材画像）を１枚ずつ別の用紙にプリントして出力してもよい。ユーザは、プリント物を並べて、モザイク画像を完成させる。
【００４６】
図６（ａ）に示すように、各プリント物３Ａに凹凸のある切りしろＣＬを設けてもよい。切りしろＣＬに沿ってプリント物３Ａを切断することで、図６（ｂ）に示すように、ジグソーパズルのように並べてモザイク画像を作成することができる。
【００４７】
上記実施形態において、連写して生成した撮影画像の全てを撮影画像として使用してもよいし、撮影画像をタッチパネル１２に表示し、素材画像とする１つ以上の画像をユーザが選択してもよい。
【００４８】
また、連写でなく、ユーザを１回のみ撮影して生成した１つの画像を、各ブロック画像に基づいて色補正して、各ブロックに対応した加工画像（素材画像）を生成してもよい。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５０】
１  印画物作製装置
２  サーバ装置
３  プリント物
１０  演算制御装置
１１  撮影装置
１２  タッチパネル
１３  プリンタ
１００  記憶部
１０１  分割部
１０２  画像受信部
１０３  画像処理部
１０４  アドレス情報取得部
１０５  プリント制御部
１０６  画像送信部
【図１】
2020184727.tif 000003
【図２】
2020184727.tif 000004
【図３】
2020184727.tif 000005
【図４】
2020184727.tif 000006
【図５】
2020184727.tif 000007
【図６】
2020184727.tif 000008